(57)【要約】【課題】  繰り返す充電して使用可能な電池により動作する移動通信装置は、使用者のライフスタイルにより使用状態が異なるため使用者に合った最適な充電のタイミングが分からないという問題がある。【解決手段】  充電した日時を充電時刻データとして記録し、複数回の充電時刻データから次回の充電予定時刻を算出する充電時刻制御部を備えた移動通信装置。【選択図】    図２
2010206479.tif 000002
【特許請求の範囲】
【請求項１】
充電した日時を充電時刻データとして記録し、前記充電時刻データから次回の充電予定時刻を算出する充電時刻制御部を備えたことを特徴とする移動通信装置。
【請求項２】
前記充電予定時刻には、電池電圧検出回路が電池電圧を検出し、前記充電時刻制御部は前記電池電圧検出回路が検出した電池電圧値と所定の第１の電圧値とを比較し、前記検出した電池電圧値が前記第１の電圧値より低い場合には、充電を促すアラームを音声及び画像を用いて使用者に通知することを特徴とする請求項１に記載の移動通信装置。
【請求項３】
前記充電予定時刻には、電池電圧検出回路が電池電圧を検出し、前記充電時刻制御部は前記電池電圧検出回路が検出した電池電圧値と所定の第１の電圧値とを比較し、前記検出した電池電圧値が前記第１の電圧値以上の場合には、スケジュール機能の外出予定を確認し、第１の期間内に外出予定がある場合には、外出予定時刻の第１の定時間前に、所定の第２の電圧値と比較するために電池電圧を検出し、その検出した電池電圧が前記第２の電圧値以下の場合には、充電を促すアラームを音声及び画像を用いて使用者に通知することを特徴とする請求項１に記載の移動通信装置。
【請求項４】
前記スケジュール機能の外出予定の確認において、前記第１の期間内に外出予定がない場合には、第２の定時間経過後に再び電池電圧を検出し、その検出した電池電圧値と前記第１の電圧値とを比較し、電池電圧が維持されているかをチェックすることを特徴とする請求項３に記載の移動通信装置。
【請求項５】
前記第２の電圧値と比較するために電池電圧を検出し、その検出した電池電圧が前記第２の電圧値よりも高い場合には、第２の定時間経過後に再び電池電圧を検出し、検出した電池電圧値と前記第１の電圧値とを比較し、電池電圧が維持されているかをチェックすることを特徴とする請求項３に記載の移動通信装置。
【請求項６】
前記第１の電圧値は、前記第２の電圧値よりも小さいことを特徴とする請求項３乃至５のいずれかに記載の移動通信装置。
【請求項７】
前記充電予定時刻は、記録された複数の前記充電時刻データにおける充電間隔の平均値の期間が経過する時刻であることを特徴とする請求項１乃至６のいずれかに記載の移動通信装置。
【請求項８】
充電時刻制御部において充電した日時を充電時刻データとして記録し、記録された複数の前記充電時刻データから次回の充電予定時刻を算出することを特徴とする充電時刻予測方法。
【請求項９】
前記充電予定時刻には、電池電圧検出回路を用いて電池電圧を検出し、前記充電時刻制御部は前記電池電圧検出回路が検出した電池電圧値と所定の第１の電圧値とを比較し、前記検出した電池電圧値が前記第１の電圧値より低い場合には、充電を促すアラームを使用者に通知することを特徴とする請求項８に記載の充電時刻予測方法。
【請求項１０】
前記充電予定時刻には、電池電圧検出回路を用いて電池電圧を検出し、前記充電時刻制御部は前記電池電圧検出回路が検出した電池電圧値と所定の第１の電圧値とを比較し、前記検出した電池電圧値が前記第１の電圧値以上の場合には、スケジュール機能の外出予定を確認し、第１の期間内に外出予定がある場合には、外出予定時刻の第１の定時間前に、所定の第２の電圧値と比較するために電池電圧を検出し、その検出した電池電圧が前記第２の電圧値以下の場合には、充電を促すアラームを使用者に通知することを特徴とする請求項８に記載の充電時刻予測方法。
【請求項１１】
前記スケジュール機能の外出予定の確認において、前記第１の期間内に外出予定がない場合には、第２の定時間経過後に再び電池電圧を検出し、検出した電池電圧値と前記第１の電圧値とを比較し、電池電圧が維持されているかをチェックすることを特徴とする請求項１０に記載の充電時刻予測方法。
【請求項１２】
前記第２の電圧値と比較するために電池電圧を検出し、その検出した電池電圧が前記第２の電圧値よりも高い場合には、第２の定時間経過後に再び電池電圧を検出し、検出した電池電圧値と前記第１の電圧値とを比較し、電池電圧が維持されているかをチェックすることを特徴とする請求項１０に記載の充電時刻予測方法。
【請求項１３】
前記第１の電圧値は、前記第２の電圧値よりも小さいことを特徴とする請求項１０乃至１２のいずれかに記載の充電時刻予測方法。
【請求項１４】
前記充電予定時刻は、記録された複数の前記充電時刻データにおける充電間隔の平均値の期間が経過する時刻であることを特徴とする請求項８乃至１３のいずれかに記載の充電時刻予測方法。
【請求項１５】
充電時刻制御部において、充電した日時を充電時刻データとして記録し、記録された複数の前記充電時刻データから次回の充電予定時刻を算出することを特徴とする充電時刻予測システム。
【請求項１６】
前記充電予定時刻には、電池電圧検出回路を用いて電池電圧を検出し、前記充電時刻制御部は前記電池電圧検出回路が検出した電池電圧値と所定の第１の電圧値とを比較し、前記検出した電池電圧値が前記第１の電圧値より低い場合には、充電を促すアラームを使用者に通知することを特徴とする請求項１５に記載の充電時刻予測システム。
【請求項１７】
前記充電予定時刻には、電池電圧検出回路を用いて電池電圧を検出し、前記充電時刻制御部は前記電池電圧検出回路が検出した電池電圧値と所定の第１の電圧値とを比較し、前記検出した電池電圧値が前記第１の電圧値以上の場合には、スケジュール機能の外出予定を確認し、第１の期間内に外出予定がある場合には、外出予定時刻の第１の定時間前に、所定の第２の電圧値と比較するために電池電圧を検出し、その検出した電池電圧が前記第２の電圧値以下の場合には、充電を促すアラームを使用者に通知することを特徴とする請求項１５に記載の充電時刻予測システム。
【請求項１８】
前記スケジュール機能の外出予定の確認において、前記第１の期間内に外出予定がない場合には、第２の定時間経過後に再び電池電圧を検出し、検出した電池電圧値と前記第１の電圧値とを比較し、電池電圧が維持されているかをチェックすることを特徴とする請求項１７に記載の充電時刻予測システム。
【請求項１９】
前記第２の電圧値と比較するために電池電圧を検出し、その検出した電池電圧が前記第２の電圧値よりも高い場合には、第２の定時間経過後に再び電池電圧を検出し、検出した電池電圧値と前記第１の電圧値とを比較し、電池電圧が維持されているかをチェックすることを特徴とする請求項１７に記載の充電時刻予測システム。
【発明の詳細な説明】
【技術分野】
【０００１】
本発明は、繰り返し充電して使用可能な二次電池により動作する移動通信装置に関し、特に適切な電池の充電時期を使用者に知らせる機能を備えた移動通信装置に関する。
【背景技術】
【０００２】
携帯電話機等の移動通信装置では、電源用の電池として繰り返し充電して使用可能なリチウムイオン電池などの二次電池が一般に使用されており、使用者がこれらの電池の残容量を確認できるようになっている。しかし従来の携帯電話機は、電池残容量の表示が存在するが、３段階表示であり電池残容量の表示は、おおまかな目安にしかならなかった。そのため、多少長い時間携帯電話を使用したい時に電池残容量がなくなってしまうことが起こってしまう。だからといって、電池残容量が十分あるのに毎日充電をしてしまうと、二次電池は、充電・放電を繰り返すたびに寿命が短くなるので、二次電池の寿命は早まってしまうことになる。寿命が短くなれば、電池の最大容量が小さくなり、１回の充電で使用可能な時間が短くなり、使用者にとっても、不便なものとなってしまう。
【０００３】
二次電池にとって寿命を早めないためには、充電・放電の繰り返す回数を出来るだけ減らすことが必要であるが、使用者にとっては、携帯電話を使用したいときに十分な電池残容量が必要となる。この両者がトレードオフの関係にあることや、また、使用者により携帯電話の使用方法は異なるため、従来は、使用者の一番良い充電のタイミングが分からないという問題がある。
【０００４】
二次電池の充電時期を報知する先行特許文献として特開２００１−６９２０７号広報（以下、特許文献１）がある。特許文献１には、電池の残量を検出する検出手段と、電池の充電を促す設定値を設定する設定手段と、検出手段により検出した電池の残量と設定手段により設定された設定値とを比較し、比較結果に基づき電池の充電を促す報知手段とを備えた移動無線端末が示されている。検出した電池の端子電圧が設定した設定値まで下がったときには、そのことを報知させるようにしている。
【先行技術文献】
【特許文献】
【０００５】
【特許文献１】特開２００１−６９２０７号公報
【発明の概要】
【発明が解決しようとする課題】
【０００６】
しかし、使用者のライフサイクルにより携帯電話機の使用方法は異なるため、上記した特許文献１の技術においても、設定された設定値が常に最適値とは限らない。そのため、報知される充電のタイミングが、早い場合や、逆に遅い場合があり、使用者の一番良い充電のタイミングであるかが分からないという問題がある。特に使用者のライフスタイルは、少しずつ変化する。このライフスタイルが少しずつ変化する場合には、どのように設定値の設定を変更した場合が一番良い充電のタイミングが得られるかが判断できない。
【０００７】
本発明の目的は、上述した課題を解決するためになされたものであり、使用者のライフスタイルに合った充電のタイミングをお知らせする機能を有し、電池の寿命を早めることなく、使用者が最適なタイミングで充電することが可能な移動通信装置、及びその充電時刻予測方法を提供することにある。
【課題を解決するための手段】
【０００８】
本発明の１つの観点によれば、充電した日時を充電時刻データとして記録し、充電時刻データから次回の充電予定時刻を算出する充電時刻制御部を備えた移動通信装置が得られる。
【０００９】
また本発明の別の観点によれば、充電時刻制御部において充電した日時を充電時刻データとして記録し、記録された複数の前記充電時刻データから次回の充電予定時刻を算出する充電時刻予測方法が得られる。
【００１０】
さらに本発明の別の観点によれば、充電時刻制御部において、充電した日時を充電時刻データとして記録し、記録された複数の前記充電時刻データから次回の充電予定時刻を算出する充電時刻予測システムが得られる。
【発明の効果】
【００１１】
本発明によれば、充電した日時を充電時刻データとして記録し、その充電時刻データから次回の充電予定時刻を算出する。このように次回の充電予定時刻を使用者のライフサイクル、すなわち使用実績に基づいた時刻を充電予定時刻とする。二次電池は、充電・放電を繰り返すたびに寿命が短くなるが、最適な充電予定時刻とすることで、必要以上に充電することを防ぐことが出来る。必要最低限の充電回数でかつ、使用者が携帯電話を使用したいときに、最低限必要な電池残容量は確保する。
【図面の簡単な説明】
【００１２】
【図１】本発明の充電時刻予測機能を備えた携帯電話機の構成ブロック図である。
【図２】充電時期を報知する動作を示すフローチャートである。
【発明を実施するための形態】
【００１３】
（第１の実施の形態）
本発明の第１の実施の形態について図面を参照して詳細に説明する。図１に、本発明の使用者のライフスタイルに合わせて、使用者の一番良いタイミングの充電時期をお知らせする機能を備えた携帯電話機の構成ブロック図を示す。図２に、その充電時期をお知らせする動作のフローチャートを示す。また本発明においては、移動通信装置として、携帯電話機を例として説明するが、しかし携帯電話機に特に限定されるものではない。
【００１４】
図１において、携帯電話機はアンテナ１、送受信切替部２、受信部３、送信部４、制御部５、スピーカ部６、表示部７、スケジュール機能制御部８、充電時刻制御部９、電池電圧検出回路部１０、電池１１、電源回路部１２を備えている。アンテナ１は、基地局との間で電波を送受信する。送受信切替部２は、アンテナ１が受信した電波を受信部３に送り、また送信部からの電波をアンテナに送る。受信部３は、アンテナ１が受信した電波を受信信号に変換し制御部５を介してスピーカ部６、表示部７に送る。送信部４は、例えば図示していないマイクからの音声信号を送信電波に変換し、送受信切替部２を介してアンテナ１に送る。
【００１５】
制御部５は携帯電話機の全体機能の制御、信号の伝達ルート等をコントロールする。スピーカ部６は音声データの音声表示、表示部７は文字や画像を表示する。スケジュール機能制御部８はスケジュール機能を制御する。充電時刻制御部９は、本発明の充電予定時刻に関する機能をコントロールする制御部である。電池電圧検出回路部１０は電池電圧を検出する回路である。電池１１は繰り返し充電して使用可能な二次電池であり、電源回路部１２は電池１１からの電圧を昇圧又は降圧して、携帯電話機のそれぞれの回路部に電源電圧として供給する。
【００１６】
このように携帯電話機は、制御部５により全体機能がコントロールされ、アンテナ１、送受信切替部２、受信部３、送信部４等を用いて基地局との間で交信する。これらの信号を、スピーカ部６が音声表示、表示部７が文字や画像表示することで、使用者に認識させる。本発明の携帯電話機は、図示していないが携帯電話機としての一般的な公知の機能は備えているものとする。例えば、従来の３段階の電池残容量の表示も備えているものである。さらに本発明の携帯電話機においては、充電時刻制御部９が、充電予定時刻を算出し、充電予定時刻には電池電圧検出回路１０により、電池電圧を検出し、一番良いタイミングの充電時期をお知らせする機能を備えている。本発明における使用者のライフスタイルに合わせて、一番良いタイミングの充電時期をお知らせする機能のフローチャートを図２に示す。
【００１７】
図２のフローチャートの最初のステップＡ１では、まず使用者のライフスタイル別の充電予定時期（時刻）を把握するため、充電した日時を記録する。充電した日時は、使用者が携帯電話機のキーボタンを操作して入力してもよく、充電された電池がセットされた時間を充電した日時として携帯電話機が自動認識させるようにしてもよい。入力された充電日時は、充電時刻制御部９の記憶デバイスに記憶される。次にステップＡ２では、充電時刻制御部９はステップＡ１において一定の期間内（又は回数）で記録された充電日時のデータから、今回の充電時間から次の充電までの時間を算出し、次回の充電予定時刻として記憶する。例えば充電回数が１０回以上であれば、その１０回の充電日時データから充電するまでの平均時間を算出し、その平均時間が経過した時刻を例えば次回の充電予定時刻とする。充電の記録データが蓄積された時点で、記録データに基づいて、次回の充電予定時刻を設定する。このように充電される度に、最新の複数回分の充電時間データから次回の充電予定時刻を算出することになる。
【００１８】
ここでは、充電するまでの平均時間が経過した時刻を次回の充電予定時刻とした。この場合には、携帯電話機使用頻度が高い時期には電池の残容量が不足するケースが発生するが、このときは従来の３段階表示の電池残容量の表示により充電する。また次回の充電予定時刻として充電するまでの平均時間が経過した時刻としたときに電池の残容量が不足するケースが多い場合には、例えば充電するまでの平均時間の７０％を用いることをできる。このように次回の充電予定時刻として充電するまでの平均時間の何１０％が経過した時刻として、任意に設定することができる。例えば、電池残容量が十分なのに充電しやすい人は平均時間の１００％、逆に電池残容量がなくなるまで充電しない人は平均時間の７０％とし、使用者のライフサイクルに合わせた次回の充電予定時刻を設定することができる。使用者のライフサイクルに合わせて充電予定時刻を設定することで、充電のやりすぎや、電池切れをなくすことができる。
【００１９】
また、例えば携帯電話機を購入した当初は、充電の記録がない。そのため、次回の充電予定時刻として一定時間毎に電池電圧をチェックすることにする。すなわち携帯電話機を購入した当初は、次回の充電予定時刻として一定時間（例えば１時間）後を初期設定する。このように携帯電話機を購入した当初は充電の実績がないため、一定時刻毎の電池電圧を確認して充電を行うことにする。充電の記録データが蓄積された時点で、例えば１０回の充電記録データが蓄積されたら、その充電記録データに基づいて、次回の充電予定時刻を設定する。
【００２０】
次にステップＡ３では、充電時刻制御部９はステップＡ２で算出され、その使用者にとって充電が必要であろうと予想される充電予定時刻となった時、電池電圧のチェックを電池電圧測定回路１０に指示する。電池電圧測定回路１０は電池電圧を測定する。電池電圧測定回路１０からの測定結果が充電時刻制御部１０に送られ、その測定結果がステップＢ１で判定される。充電時刻制御部１０は、ステップＢ１で電池電圧が閾値１より低い場合は、ステップＡ６として、充電を促すアラームをスピーカ部６及び表示部７を用いて使用者に通知する。充電予定時期を知らされた携帯電話機の使用者は、ステップＡ７で電池を充電する。充電が完了すると、ステップＡ１に戻り、充電した日時を使用者がキーインすることで、新たな充電日時が追加記録される。ステップＢ１での閾値１は、使用者がもうこれ以上電池電圧が落ちると絶対に充電が必要だと判断される電圧値とする。
【００２１】
またステップＢ１で電池電圧が閾値１以上であった場合は、充電時刻制御部１０はさらにステップＡ４として、スケジュール機能に外出予定の記録があるかないかを確認する。充電時刻制御部１０は、ステップＢ２で、スケジュール機能に、例えば現在から一定期間（例えば３時間）内に外出予定があるかを確認する。そのスケジュール機能に外出予定がない（ＮＯ）場合には、所定の定時間（例えば１時間）経過後に、充電時刻制御部１０は、ステップＡ３に戻るように指示し、電池電圧を再チェックするようにする。ステップＡ３では、スケジュール機能に外出予定がない（ＮＯ）場合の所定の定時間（例えば１時間）経過後に電池電圧を検出するように電池電圧検出回路に指示し、電池電圧を測定する。
【００２２】
ステップＡ３では、充電時刻制御部１０は上述したように充電予定時刻、スケジュール機能に外出予定がない（ＮＯ）場合の所定の定時間（例えば１時間）経過後、及び後述する電池電圧が閾値２より高い場合の所定の定時間（例えば１時間）経過後にそれぞれ電池電圧を検出するように電池電圧検出回路に指示する。電池電圧検出回路が検出した電池電圧値と閾値１又は閾値２の電圧値とを比較し、電池電圧が維持されているかをチェックするフローを繰り返す。このようにステップＡ３では、最初に充電予定時刻になった時点で電池電圧を検出し、電池電圧が維持されているかをチェックする。この時点で電池電圧が維持されている場合には、短い所定の定時間間隔で電池電圧かをチェックし、電池電圧が維持されているかをチェックする。
【００２３】
スケジュール機能に一定期間（例えば３時間）内に外出予定がある（ＹＥＳ）場合には、充電時刻制御部１０はステップＡ５として、その外出予定時刻の例えば所定の定時間（例えば２時間）前に、電池電圧測定回路１０に指示し、電池電圧をチェックさせる。そのチェック結果がステップＢ３で判定される。充電時刻制御部１０は、ステップＢ３で電池電圧が閾値２以下であった場合は、ステップＡ６で充電を促すアラームをスピーカ部６及び表示部７を用いて使用者に通知する。充電予定時刻を知らされた携帯電話機の使用者は、ステップＡ７で電池を充電する。充電が完了すると、ステップＡ１に戻り、充電した日時を使用者がキーインすることで、新たな充電日時が追加記録される。
【００２４】
また充電時刻制御部１０は、ステップＢ３で測定した電池電圧が閾値２以上であった場合は、所定の定時間（例えば１時間）経過後に、ステップＡ３に戻り、電池電圧を再チェックするようにする。ここで閾値１と閾値２は任意に設定可能な電圧値とすることができるが、閾値１＜閾値２の関係とする。閾値１は、使用者がもうこれ以上電池電圧が落ちると絶対に充電が必要だと判断される電圧値とする。閾値２は、絶対に今すぐ充電が必要であるという値ではないが、使用者に外出予定等があり、外出するのであれば充電しておきたいと判断されるような電圧値とする。
【００２５】
上記したように本発明によれば、使用者のライフサイクルに合わせ、充電した日時を充電時刻データとして記録し、その充電時刻データから次回の充電予定時刻を算出する充電時刻予測方法、充電時刻予測システム及びこれらを備えた移動通信装置を提供することができる。
【００２６】
充電予定時刻には、電池電圧検出回路が電池電圧を検出し、充電時刻制御部は電池電圧検出回路が検出した電池電圧値と所定の第１の電圧値とを比較し、検出した電池電圧値が第１の電圧値より低い場合には、充電を促すアラームを音声及び画像を用いて使用者に通知する。
【００２７】
さらに、充電予定時刻には、電池電圧検出回路が電池電圧を検出し、充電時刻制御部は電池電圧検出回路が検出した電池電圧値と所定の第１の電圧値とを比較し、検出した電池電圧値が前記第１の電圧値以上の場合には、スケジュール機能の外出予定を確認し、第１の期間内に外出予定がある場合には、外出予定時刻の第１の定時間前に、所定の第２の電圧値と比較するために電池電圧を検出し、その検出した電池電圧が第２の電圧値以下の場合には、充電を促すアラームを音声及び画像を用いて使用者に通知する。
【００２８】
本発明においては使用者の充電した実績に基づいて、次回の充電予定時刻を算出し、さらにその時刻に電池電圧をチェックして、充電が必要な場合にアラームを使用者に報知する。このように使用者のライフスタイルに合った充電時期を報知できることから、使用者が移動通信装置を使用したい場合に必要な電池残容量を確保でき、充電回数を最小限回数の抑制できることから電池の寿命を出来るだけながくできる効果が得られる。
【００２９】
以上、第１の実施形態として本願発明を詳細に説明したが、本願発明は上記の実施形態例に限定されるものではない。本願発明の構成や詳細には、本願発明のスコープ内で様々な変更をすることができる。
【符号の説明】
【００３０】
１    アンテナ
２    送受信切替部
３    受信部
４    送信部
５    制御部
６    スピーカ部
７    表示部
８    スケジュール機能制御部
９    充電時刻制御部
１０    電池電圧検出回路
１１    電池
１２    電源回路部
【図１】
2010206479.tif 000003
【図２】
2010206479.tif 000004